(57)【要約】      （修正有）【課題】イオンパンピング療法は、刺した鍼を結んで治療を行うため、針灸の技術の専門的な知識と技術が必要となるという課題があった。本考案は、このような課題に着目してなされたもので、専門的な技術や知識が不要で、安定して高い効果を得ることができる治療具を提供する。【解決手段】治療具１の両端には磁石２，３が存し、磁石２，３間にわたり導電性の線材４が接続されている。線材４の中間部位にはゲルマニウムダイオード５が介在されている。線材４は導電性の線体を絶縁性のビニルで被覆したものである。線材４の両端に磁石２，３が半田付けしてある。磁石２，３は人体接触面側が一方はプラス極、他方はマイナス極となるように構成されている。磁石の素材としては一般的な永久磁石を利用可能であるが、磁束密度が高く、非常に強い磁力を持つネオジム磁石を用いればより効果が高まるものである。【選択図】図１
0003190384.tif 000002
【実用新案登録請求の範囲】
【請求項１】
導電性を有すると共にゲルマニウムダイオード（５）を介在させた線材（４）の両端に磁石（２，３）を取付けた治療具。
【請求項２】
一方の磁石は金メッキを施し、他方の磁石にはニッケルメッキを施した請求項１に記載の治療具。
【請求項３】
磁石（２，３）がネオジム磁石である請求項１又は請求項２に記載の治療具。
【考案の詳細な説明】
【技術分野】
【０００１】
本考案は肩こり筋肉痛などの疼痛を緩和することを目的とする治療具に関する。
【背景技術】
【０００２】
鍼灸治療の祖と言われる間中喜雄が提唱したイオンパンピングという治療法が鍼灸治療家の間ではよく知られている。
【０００３】
このイオンパンピングとは、生体の疼痛部にはプラスイオンが過剰に存在し、これが神経興奮などを増幅し、痛みと大きく関係すると考え、疼痛部のプラスイオンを汲み出せばよいという発想の元、人体におけるマイナスイオンのある部位と疼痛部位とをコードで繋ぎ、中和させるという治療システムである。
【０００４】
それまでの鍼治療は、経絡の虚実に応じて補と瀉を施術者の技法によって伝達する方法で、技術の習得には長期の訓練が必要であった。
【０００５】
係る難点を解消すべく、人の手による補瀉の技法に取って代わる機器があれば都合が良いという発想から生まれ、実現したのがイオンパンピングである。
【０００６】
間中喜雄の症例報告には、やけどの部分をカバーするようにアルミ箔を貼り付け、その一端にコードをつなげる。次にやけどより遠隔部（例えば、足にやけどをしていたら手に、手にやけどをしていたら足）に鍼を刺して、その鍼にコードを結ぶ。しばらくすると痛みが緩和されたとするものなどが挙げられている。
【０００７】
上記は東洋医学的な説明であるが、西洋医学的に叙述すると以下のようになる。すなわち、生体内では、Ｎａ，Ｃａ，Ｋ等の原子がイオン化することによって電子を生じ、様々な活動の電気的なエネルギーとなっていることが知られている。更には、細胞が傷つけられて痛みを感じる場合には、その場所に電子が集まることが知られており、負傷電流と呼ばれている。さらに、慢性化した鈍重感、局所のしびれ、違和感などでは、電子が不足して細胞の活動が鈍化し、血流が悪くなることが知られている。このような生体内のイオンや電子の過不足を解消することにより治療を行う方法として、イオンパンピング療法である。
【０００８】
特許文献１には、一方向電流整流素子と、該素子の周囲に設けられた電流補足プローブとを有して構成された治療具であって、一方向電流整流素子の両端子は、電流補足プローブを介して電気的導通状態に連結接続され、この一方向電流整流素子と電流補足プローブが一体となった治療具が開示されている。
【０００９】
特許文献２には、痛みの部位とそこから離れた部位とに鍼を刺し、両鍼間をダイオード内蔵のコードで結び、痛みの部位の過剰な陽イオンを中和する治療具が開示されている。
【先行技術文献】
【特許文献】
【００１０】
【特許文献１】特開平１０−１７４７２２号公報
【特許文献２】実開昭５０−６４３８７号公報
【非特許文献】
【００１１】
【非特許文献１】「針灸の理論と考え方」間中喜雄著（創元医学新書）
【考案の概要】
【考案が解決しようとする課題】
【００１２】
イオンパンピング療法は、刺した鍼を結んで治療を行うため、針灸の技術の専門的な知識と技術が必要となるという課題があった。上記特許文献２記載の考案も鍼を刺す必要があり、同様の課題が生じるものである。
【００１３】
本考案は、このような課題に着目してなされたもので、専門的な技術や知識が不要で、安定して高い効果を得ることができる治療具を提供することを目的とする。
【課題を解決するための手段】
【００１４】
上記の目的を達成する本考案の構成は次の通りである。
【００１５】
（１）  請求項１に記載の考案は、導電性を有すると共にゲルマニウムダイオードを介在させた線材の両端に磁石を取付けて構成した。
【００１６】
（２）  請求項２に記載の考案は、請求項１記載の治療具において、一方の磁石は金メッキを施し、他方の磁石にはニッケルメッキを施し構成した。
【００１７】
（３）  請求項３記載の考案は、請求項１又は請求項２記載の治療具においてネオジム磁石を用いて構成した。
【考案の効果】
【００１８】
上記のように構成される本考案が、如何に作用して課題を解決するかを図面を参照しながら概説する。
【００１９】
図１は本考案に係る治療具１の概略図である。治療具１の両端には磁石２，３が存し、磁石２，３間にわたり導電性の線材４が接続されている。線材４の中間部位にはゲルマニウムダイオード５が介在されている。
【００２０】
本考案者は、本考案に係る治療具で実験の結果、人体内のイオンや電子の過不足を解消することにより、人体内のイオンや電子の過不足による痛みやしびれなどをとることができることを発見した。
【００２１】
係る効果が認められるのは、ゲルマニウムダイオードの整流作用及び順方向電圧降下を抑えることが可能な性質により、疼痛側のプラスイオンを他の健常部位に流すことが可能となことによるものと思われる。考案者の実験ではゲルマニウムダイオード以外では係る効果が小さいものであった。
【００２２】
また、人体に接触する部位として磁石を用いていることから、接触部位の血流が良くなることも治療効果が表れる原因と考えられる。
【００２３】
更には、血液成分の中には、プラスイオンとマイナスイオンに電離するものが含まれている。これが血管中を流れるということは、電流が流れることに等しい。ここに磁石によって磁場を加えると、「フレミングの左手の法則」により力が発生する。この力がイオンの流れを活発にすることも、効果が認められる一因と思われる。
【００２４】
また、請求項２に記載の考案においては、一方の磁石には金メッキを施し、他方の磁石にはニッケルメッキを施してある。金とニッケルの電位差は約１．７６ボルトあり、イオンの転移を促進することが可能となるものである。また、両端の磁石同士が引き合うことでより転移が促進されるものである。
【図面の簡単な説明】
【００２５】
【図１】本考案の概略図
【考案を実施するための形態】
【００２６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２７】
図１に示すように、治療具１の両端には磁石２，３が存し、磁石２，３間にわたり導電性の線材４が接続されている。線材４の中間部位にはゲルマニウムダイオード５が介在されている。
【００２８】
線材４は導電性の線体を絶縁性のビニルで被覆したものである。線材４の両端に磁石２，３が半田付けしてある。
【００２９】
磁石２，３は人体接触面側が一方はプラス極、他方はマイナス極となるように構成されている。磁石の素材としては一般的な永久磁石を利用可能であるが、磁束密度が高く、非常に強い磁力を持つネオジム磁石を用いればより効果が高まるものである。
【００３０】
請求項２に記載の考案においては、磁石２，３の一方に金メッキ、他方にはニッケルメッキが施されている。
【００３１】
本考案の使用方法は、手のツボにプラス極の磁石を、足のツボにマイナス極の磁石をあてがうとうものである。首用は首の前と後ろでつなぐと首の血流を良くする事が出来る。全身用は２ｍ、首専用は３０ｃｍと長さを替えれば利便性が高まるものである。
【符号の説明】
【００３２】
１・・治療具
２，３・・磁石
４・・線材
５・・ゲルマニウムダイオード
【図１】
0003190384.tif 000003